(57)【要約】【課題】砂漠緑化が促進されて温暖化防止をも達成できるようにした人工降雨等発生方法を提供すること。【解決手段】雨雲などの多湿気を強制上昇流発生システムにより自然流でなく強制的な上昇流として起生して立ちはだかる高い山脈を越えさせることで山脈の向こう側の乾燥地帯までも雨雲をもたらして降雨を発生させるようにする。【選択図】図１
2011024548.tif 000002
【特許請求の範囲】
【請求項１】
山脈手前に滞留する雨雲や多湿気などの対象を強制上昇流発生システムによる強制的な上昇流の起生により同山脈を越えさせることで山脈の向こう側にもたらして降雨を発生可能とする人工降雨等発生方法。
【請求項２】
請求項１に記載のものにおいて、強制上昇流発生システムは、ジェットエンジンを含むものである人工降雨等発生方法。
【発明の詳細な説明】
【技術分野】
【０００１】  本発明は、人工降雨等発生方法に関する。
【背景技術】
【０００２】  図８はインド洋１、インド大陸２、ヒマラヤ山脈３、チベット高原４およびタクラマカン砂漠５を一連状に示す断面概略模式図である。インド大陸２上の空気は、夏季（６月から９月）において暖かくなって上昇気流Ｕを発生し、それを補うためインド洋１からは大陸２へ向けて南西季節風であるモンスーンＭが吹く。このモンスーンＭが海側から吹くと多量の湿った空気が内陸にもたらされ、強く長い雨期が続くこととなる。
その雨期にあっては、モンスーンＭとともに矢印Ｘの方向に雨雲６…が流れることとなるが、その流れる先にあるヒマラヤ山脈３が立ちはだかって冷やされるため、その手前で全て降雨となってインド大陸２上で大洪水をもたらす問題がある。
その一方で、ヒマラヤ山脈３の存在は、それを越えた地帯に湿気のない極乾燥気流Ｙを流すこととなって特にチベット高原４以北のタクラマカン砂漠５は超乾燥地帯となって緑化どころか温暖化防止推進上のネックになっていた。
そうした軽減策を講じたものもある（例えば、特許文献１）。
【先行技術文献】
【特許文献】
【０００３】
【特許文献１】  特開２００６−２３９３９９
【発明の概要】
【発明が解決しようとする課題】
【０００４】  上記特許文献１は、山脈に降った水をその流れる途中に設けた人工池に溜めてその溜まった水をもとに多湿上昇気流を発生させヒマラヤ山脈３を越えさせてタクラマカン砂漠５まで誘導されるようにしたものである。
しかし、こうした人工池による自然上昇気流発生方法によってもやはり多湿上昇気流をヒマラヤ山脈３を越えさせ得るものではなく、ここに多湿気流をより有効に山越えさせる方法の提供が望まれていた。【０００５】  本発明は、このような従来の方法が有していた問題を解決しようとするものであり、雨雲などの多湿気を強制上昇流発生システムにより自然流でなく強制的な上昇流として起生して立ちはだかる高い山脈を越えさせることで山脈の向こう側の乾燥地帯までも雨雲をもたらして降雨を発生させ、これにより、緑化を促進して温暖化防止をも可能とする人工降雨等発生方法を提供することを目的とする。
【課題を解決するための手段】
【０００６】  本発明は上記目的を達成するため、請求項１に記載の発明は、山脈手前に滞留する雨雲や多湿気などの対象を強制上昇流発生システムによる強制的な上昇流の起生により同山脈を越えさせることで山脈の向こう側にもたらして降雨を発生可能とする。
請求項２に記載の発明は、請求項１に記載のものにおいて、強制上昇流発生システムは、ジェットエンジンを含むものである。
【発明の効果】
【０００７】  上述したように本発明の人工降雨等発生方法は、雨雲などの多湿気を強制上昇流発生システムにより自然流でなく強制的な上昇流として起生して立ちはだかる高い山脈を越えさせることで山脈の向こう側の乾燥地帯までも雨雲をもたらして降雨を発生させ、これにより、砂漠緑化が促進されて温暖化防止をも可能になる。
【図面の簡単な説明】
【０００８】
【図１】  本発明の人工降雨等発生方法の一実施形態を示す立体図。
【図２】  図１のＨ−Ｈ線模式断面図。
【図３】  図２のＡ部拡大図。
【図４】  他の実施形態を示す模式断面図。
【図５】  他の実施形態を示す模式断面図。
【図６】  他の実施形態を示す模式断面図。
【図７】  図６の風力発電駆動設備の拡大側面図。
【図８】  これまでの雨期の状況を示す模式断面図。
【図９】  他の実施形態を示す説明図。
【図１０】  図９の水蒸気発生装置Ｍを拡大して示す断面図。
【図１１】  図１０のＶ−Ｖ線断面図。
【図１２】  ラセン型ヒーターを示す平面図。
【図１３】  他の実施形態を示す側面図。
【図１４】  他の実施形態を示す側面図。
【図１５】  他の実施形態を示す縦断側面図。
【図１６】  他の実施形態を示す縦断側面図。
【図１７】  他の実施形態を示す縦断側面図。
【図１８】  他の実施形態を示す斜視図。
【図１９】  他の実施形態を示す正面図。
【図２０】  他の実施形態を示す斜視図。
【図２１】  他の実施形態を示す斜視図。
【図２２】  他の実施形態を示す正面図。
【図２３】  他の実施形態を示す側面図。
【図２４】  他の実施形態を示す説明図。
【図２５】  他の実施形態を示す斜視図。
【図２６】  ゲリラ豪雨の状況を示す斜視説明図。
【図２７】  ゲリラ豪雨の一軽減対策例を示す斜視説明図。
【図２８】  他の提案例を示す斜視説明図。
【発明を実施するための形態】
【０００９】  以下、本発明の実施の一形態を図１〜図３に基づいて説明する。
【００１０】  図２はインド洋１、インド大陸２、ヒマラヤ山脈３、チベット高原４およびタクラマカン砂漠５を一連状に示す断面概略模式図であり、図１はヒマラヤ山脈３を模式的にまたその手前のインド大陸２の一部を模式的にあらわし更に向こう側にチベット高原およびタクラマカン砂漠を含む砂漠地帯５を模式的にあらわしている。
【００１１】  インド大陸２上の空気は、夏季（６月から９月）において暖かくなって上昇気流Ｕを発生し、それを補うためインド洋１からは大陸２へ向けて南西季節風であるモンスーンＭが吹く。このモンスーンＭが海側から吹くと多量の湿った空気が内陸にもたらされ、強く長い雨期が続くこととなる。
その雨期にあっては、モンスーンＭとともに矢印Ｘの方向に雨雲６…が自然に流れることとなるが、その流れる先にあるヒマラヤ山脈３には、流れてくる雨雲６…を対象にしてそれらを強制的に山脈３に沿って吹き上げる強制上昇流発生システムＳを雨雲６…到達高さあるいは到達高さより低い高さに対応して設置してある。
【００１２】  同システムＳと同じ高さには、多くの水量が蓄えられるように等高線の方向に長溝状とした貯水部８が形成され、同貯水部８は、山脈３の高い個所ではなくできるだけ低い峰や山に対応する下方に配置してある。
【００１３】  そして、貯水部８は、雨雲６…による降雨を直接溜めてそれらの貯水分を強制上昇流発生システムＳにより強制的に山頂方向に吹き上げるために使用される。
【００１４】  強制上昇流発生システムＳは、図１の右下欄および図２のＡ部拡大である図３に示すように、ジェットエンジンＪを主要部とする。このジェットエンジンＪは、ターボジェット型のもので、ターボファン型その他ガスタービンなどでもよい。同エンジンＪは、吸気・圧縮・燃焼・排気各部を備えるもので、貯水部８上の適所に横架固定の基盤１３上に載置固定した架台１４に角度調節可能に装備してある。１５は支点、１６は伝導装置、１７は回転駆動装置、１８はケロシン・ワイドカットなどのジェット燃料タンクである。
【００１５】  ジェット燃料タンク１８への燃料は、麓からの供給パイプ（図示省略）を通じて供給される。回転駆動装置１７がいずれかに回転されると伝導装置１６を介して支点１５回りにジェットエンジンＪが角度調節自在とされる。これにより、山の斜面に対する角度を平行にしたり少し角度を付けたりするなど自由に向きを変えることができる。
【００１６】  また、架台１４は基盤１３に対して貯水部８の手前と奥側に進退調節自在とされ、これにより、雨雲６…が接近してきた場合に貯水部８の手前に進出して雨雲６…を吸い込み排気しやすい姿勢にする態様と、雨雲６…が到来しないか少ない場合に貯水部８上で山脈側に後退して同貯水部８内の水を図示しない温熱化手段により温熱水蒸気化して吸い込み排気する態様を選択可能になっている。図１の２０は水蒸気供給装置であり、凝結核も同時に供給可能にしてもよい。
山脈３手前に滞留する雨雲６…や多湿気などの対象を強制上昇流発生システムＳによる強制的な上昇流の起生により同山脈３を越えさせて矢印Ｚ…のように山脈３の向こう側にもたらして砂漠５へと誘導し降雨を発生可能とする。
【００１７】  尚、図３に仮想線で示すように、ジェットエンジンＪに平行に水蒸気吸排ダクト２１を装備して、ジェットエンジンＪからの排気に同調して負圧吸引しながら水蒸気を吹き上げるようにすることもできる。
このダクト２１は、雨雲６…の水蒸気を取り込むようにしてもよい。水蒸気吸排ダクト２１は、図３の右欄に示すように、ジェットエンジンＪの外周に水蒸気の通気空間を存して同心状に設けたタイプにしてもよい。
【００１８】  さらに、ジェットエンジンＪは、山の麓や中腹など図１よりも低いところに設置して雨雲６を吹き上げるようにしてもよい。この場合、ジェットエンジンＪからは排気ガス誘導配管により排気ガスを図１の貯水部８付近まで誘導するようにしてもよい。
【００１９】  また、ジェットエンジンＪは、図２に示すように、山越えした雨雲６′を降雨に適した状態にするため、チベット高原４やタクラマカン砂漠５手前（例えば、崑崙山脈やアルチン山脈など第２段目の山脈）に設置することもできる。この場合、山脈から流れ落ちる山水Ｄの溜まる水溜め部９…から発生した水蒸気をジェットエンジンＪにより上方へ吹き上げて雨雲６′を降雨に適したものにすることができる。
【００２０】  さらに、図４に示すように、貯水部８内の水は、雨雲６…よる他、インド大陸２上に形成された水溜部９…や河川１０…などからポンプ１１や配管１２を通じて汲み上げるようにしてもよい。
【００２１】  また、図５に示すように、インド洋１上には、水蒸気発生船２４を設置しておき、雨雲６…が人工的でより効果的に多量発生するようにしてもよい。
【００２２】  さらに、図６に示すように、ジェットエンジンＪに代えて山越え手前の個所に風力発電駆動設備２３を複数基設置しておいて、風のあるときは充電しておいて風のないときや少ないときにはその既充電分で同設備２３を回転駆動させて雨雲６や朝霧などを吹き上げて山越えさせるように構成することもできる。
【００２３】  図７はその具体的方法を示し、３０は基台で、山の上部山腹を掘削除去してなる路盤上に固定設置され、３１は架台で支点３３を介して角度調節可能なアーム３２を備えるとともに、アーム３２は伝導装置３４と回転駆動装置３５により角度変更自在としてある。
【００２４】  さらに、アーム３２の先端には発電機本体３６とプレーン３７を備える。架台３１には、制御部とバッテリその他必要な装備を内蔵してある。
プレーン３７は、架台３１を基台３０に対し進退自在とされているので、好ましい位置に設備を構えることができるとともに回転駆動装置３５および伝導装置３４の駆動によりアーム３２の角度を変更調節可能であるので、雨雲６…を効率的に流して充電が可能であるとともに吹き上げも効率なものにすることができる。これらにソーラー発電装置３８を組み合わせることができる。
【００２５】  図９はヒマラヤ山脈Ｈの山頂から少し下がった山斜面を含む部分を図示した他の実施形態を示す。この実施形態は、強制上昇流発生システムを図１０および図１１に示すようなスクリュウ型水蒸気流（雨雲）発生装置Ｍにより構成し、ヒマラヤ山脈Ｈのインド洋に面する頂上やや手前の中継発生個所と頂上発生個所の２個所に設置してインド洋側にある水を水蒸気から雨雲に変化させて山越えさせ、最終的にタクラマカン砂漠にまで達するようにして緑化を促すようにしたものである。前記２個所とあるのは、３個所などより多くの個所でもよい。
【００２６】  中継発生個所には、自然に残された凹所やこの実施形態のように人工的に掘削形成された凹池４０（図１のように等高線に平行に長い溝状のもの）を設け、この凹池４０に矢印Ａのように雨雲からの降雨分を溜めたり、矢印Ｂのように頂上からの雪解け水を溜めたり、矢印Ｃのように伏流水を溜めたり、あるいは矢印Ｄのようにインド大陸や山裾などの水を汲み上げ（毛細管現象によるものも含む）て溜めるものとする。４１は防護壁である。
尚、前記凹池４０は山の斜面を掘削などして造成しているが、図９の左上欄に示すように山はそのままの形とし架台４２を張り出してその架台４２を介して人工池４３を形成してもよい。掘削による凹池４０と架台による人工池４３とを併用してもよい。
【００２７】  前記水蒸気流発生装置Ｍは、そうした溜め水４４をもとにして電気ヒーターで発生させた水蒸気に適宜凝結核を混合してスクリュウ流として先端から発生させるものである。
同装置Ｍは、図１０および図１１に示すように、凹池４０の底に造成された基礎４５上に球体軸受４６を据付けるとともに外周複数個所にシリンダ４７…を配して角度調節可能な状態で下部本体４８を姿勢変更自在に設置されている。
尚、基礎４５には、池底ヒーター４９が設けられ、その電源５０は、風力発電装置５１やソーラー発電装置５２あるいは原子力（図示省略）などから導かれるものとして供給されて常時加温により解凍を含む一定温度まで温度上昇をさせるものとする。図１０の右上欄のようにレンズ集光加温装置５３により溜め水４４を水蒸気を発生可能なレベルまで加温するようにしてもよい。
【００２８】  下部本体４８は受皿型をした円池状のもので、同本体４８は断熱質でなるとともにその底壁から全体にかけて保温ヒーター５５が設けられ、さらに主加温（加熱）ヒーター５６がその中央底面に取り付けられている。同本体４８には上に断熱質の蓋５７が設けられるとともに、外周には外部から内部へと周方向の流れを作るような導入パイプ５８が挿通されている。このパイプ５８にはポンプ５９を介して凹池４０内の加温されたものが通されるとともに、パイプヒーター６０によりさらに加温されて矢印Ｅのように内部に流れ込み図１１の矢印Ｆの周回流を起生するようにしてある。
【００２９】  ６１は内部本体で、同本体６０は、丸胴型でその底面には前記主加温ヒーター５６が臨むとともに外周には図１１に横断平面図を示すように内部旋回流Ｇを起生する旋回流起生パイプ６２…が設けられている。
内部本体６０の上には旋回上昇流案内筒６３が載置固定されている。同筒６３内には、その下部に吹上げ装置６４が設けられ、上部内周には旋回促進バッフル６５が内部バッフルとして設けられている。
尚、６６は吸気加温装置、６７はコンプレッサーで、外気を温めながら内部本体６０内に暖かい空気を旋回状（矢印Ｇと同じ方向）に導入して旋回上昇流を起生するようにしてある。６８は外部バッフルで、旋回上昇流Ｈを頂上の方向Ｈ′に向けるための付加設備である。
【００３０】  水蒸気発生装置Ｍは、シリンダ（電動式を含む）４７を駆動することにより球体軸受４６を支点にして角度変更可能とされ、図９では頂上に先端が向くように傾斜して設定されている。同装置Ｍは正面からみて垂直にする以外に斜め上がりになるように右あるいは左傾斜状に角度変更することもある。
【００３１】  凹池４０内に溜められた水４４は、池底ヒーター４９により第１段階として常時加温処理がなされる。水４４が凍結している場合も、池底ヒーター４９により解凍され第１段階として所定温度以上にまで加温される。尚、この池底ヒーター４９による加温は、水４４が凍結する場合にのみ行うようにしてもよい。
水４４はポンプ５９により汲み上げられ、加温されながら導入パイプ５８を通じて下部本体４８内に流れＥとして導入されて周回流Ｆとなったあと、旋回流起生パイプ６２…を通じて旋回流Ｇを起生する。そして、この旋回流Ｇは、主加温ヒーター５６による加熱を受けながら水蒸気を発生し、その水蒸気が旋回流Ｈを巻き起こしながら吹上げ装置６４による吸引・吹上げおよび旋回促進バッフル６５による更なる旋回加速を得つつ矢印Ｈのように強い旋回流として上昇してゆくことになる。
【００３２】  その様子は、図９にも概要を示すように、矢印Ｈの上昇流（高温多湿気）は凝結核を伴ってまとまった強い旋回流として発生するが高所ということもあって低気圧が作用して適度に分散しながらしかも低温冷却作用により頂上を越えてそれまでにない全く新たな人工雨雲Ｉを形成してゆくとともに、矢印Ｈの連続した流れや吹上げる風などが手伝って矢印Ｘのように山越えをしてチベット高原や遠くタクラマカン砂漠にまで流れる雨雲となってゆく。
中には、矢印Ｙのように条件によって下がり傾向となる人工雨雲も形成されることがある。その人工雨雲Ｙは山頂に雨あるいは雪を降らせ、場合によってはその山頂において凍結堆積してしまうものもある。凹所７０に雨水７１として溜まったものは、前記同様の図１０の装置Ｍによって旋回流を発生し矢印Ｙ−１のように遠くに流される雨雲になったり、あるいはやや重いものは矢印Ｙ−２のように下がる方向に流されてゆく。さらに、雨雲は矢印２のように山斜面に添って川や伏流水として流れ落ち、それらが溜まって雨雲の発生源となる。その溜まった池に前記装置Ｍを設置しておけば遠くまで達する人工雨雲を形成することができ、こうしたリレーを繰り返すことでタクラマカン砂漠へも容易に達する人工雨雲とすることができる。一方、山頂で凍ったものは前記のように装置Ｍで解凍されて同じように旋回流から流れＹ−１，Ｙ−２になってゆく。
【００３３】  図１２の実施形態は、例えば、主加温ヒーター５６をラセン状にしたものであり、この場合、ラセンにしたヒーター５６を複数個配備してもよく、この複数個とは平面的に複数並べる場合と上下に重ねる場合とがある。
【００３４】  水蒸気発生装置Ｍは、図１３に示すように、溜池７４の底から立設した架台７５に角度変更可能に支持させることもできる。この場合、架台７５の底と装置Ｍの下部内にヒーター７６，７７を設けて加熱しながら旋回流を発生するようにする。また、装置Ｍが角度変更されても溜め水７８が装置Ｍ内に常に供給されるように深く装置Ｍを没するものとする。
【００３５】  図１４の水蒸気発生装置Ｍは、溜め池８０の溜め水８１上にフロート８２を浮べて台座としてその上に角度変更自在に設置したもので、特に、装置Ｍを蛇腹８３により角度変更自在に連通状態を保つようにしたものである。装置Ｍ内の旋回流発生装置などは図示省略されている。尚、装置Ｍは、角度変更によりバランスが変わらないように重心を支点に支持する。
【００３６】  図１５の実施形態は、山の前記中継個所の高さにトンネル８６を掘って内周に断熱材８７を施して矢印のように溜まってくる水８８が凍ることのないようにするとともに、この水８８をポンプ８９やヒーター９０を介して水蒸気発生装置Ｍにより上昇気とするように構成した。尚、山の裾からの水は左下欄に示すように内部に吸水材９１を充填した吸上げパイプ９２により毛細管現象でトンネル８６内に送り込むようにしてもよい。この方式は他の実施形態でも利用する。また、トンネル８６の手前には捕捉ネット９３を設置してそこから垂れ下がってくる水を集めてポンプアップすることでトンネル８６内の水８８とすることもできる。この方式は他の実施形態でも利用する。
【００３７】  図１６の実施形態は、山の中継個所の高さに掘ったトンネル９５内に密閉型で断熱式の水溜めコンテナ９６を内装設置し、このコンテナ９６を外ケース９７と内断熱ケース９８とで二重構造のものとするとともに、同コンテナ９６内に山の斜面上下から送られてくる降雨流水や雪解け水、さらに内部伏流水などを溜め水９８として確保し、さらに内底のヒーター９９により常に凍結しない状態に維持できるようにしたもので、こうして確保された溜め水１００を利用して水蒸気発生装置Ｍに供給して人工雨雲を作るようにしたものである。同図右欄に示すように、雨樋型のコンテナ１０１にしてもよい。コンテナ１０１には蓋を付してもよい。１０２はヒーターである。
【００３８】  図１７の実施形態は、水溜めコンテナ１０５を中継個所以外に山頂の凹所１００６内にも設置可能とした例である。同コンテナ１０５は、外ケース１０７と内断熱ケース１０８とでなるとともに内底には内部の溜め水１０９を凍結しないように確保するヒーター１１０が内蔵されている。前記中継個所の水蒸気発生装置Ｍによる人工雨雲からの降雨を凹所１０６内に溜めてポンプ１１１によりコンテナ１０５内に導入するとともに装置Ｍに適宜供給して更なる人工雨雲を発生させる仕組みになっている。尚、右欄のように雨樋式のコンテナ１１２にしてもよい。また、装置Ｍは、角度を下向きにして凹所１０６内に溜まる降雪分を内蔵ヒーターによる高温気の噴出により融かすようにしてもよい。装置Ｍは、コンテナ１０５上に設置してコンテナ１０５内で常時水として確保したものを雨雲発生用として直接上空へと噴出したり前記溶解のために周辺に噴出してもよい。
【００３９】  図１８の実施形態は、ヒマラヤ山脈のような高い峰が続く山脈に対しその正面側の雲高さ以上の山腹に沿って溝状の水溜め１１５を造ってそこに水蒸気発生装置Ｍを数基配備したものにおいて、特に、同水蒸気発生装置Ｍをそのまま山頂の方向に向けるのでなく斜め山回りの方向に向けて水蒸気（高温多湿気）を放出することにより山脈間の低い峰１１６を矢印Ｊのように人工雨雲１１７…が越えてゆくようにしたものである。人工雨雲１１７を容易に山越えさせることができる。尚、矢印Ｋのように低い峰の直ぐ下方山腹に溜め水１１５や装置Ｍを設置してもよい。また、矢印ＪとＫの双方を発生して互いに合流するようにしても効果的に人工雨雲を発生させることができる。
【００４０】  図１９の実施形態は、熱帯海上で発生する高温多湿気をより効果的に人工雨雲として発生させるためのものである。１２０は海面に浮かぶ航空母艦である船舶で、この船舶１２０は連結盤１２１により互いに一定距離離れた状態で平行に接近させてある。これら船舶１２０間には熱帯海上特有の高温多湿気Ａが溜まって次々に発生しており、これらの高温多湿気Ａを連結盤１２１に備えた多数基の強制上昇装置（縦軸型強力ファン）１２２…により吸上げて矢印Ｂのように人工雨雲を作るための上昇気流として起生するようにしたものである。
また、船舶１２０が航空母艦である場合には、ジェット機１２３…が搭載されていることからそのジェットエンジン１２４の後方にバッフル１２５を付しておくことによりエンジン噴射して矢印Ｃのように上昇誘導流を作って高温多湿気Ａを上昇促進させるものである。この上昇誘導流は、ラセン状の軌道をもって上昇するようにジェット機１２３を配置したりバッフル１２５の向きを変位自在とすることができる。上昇気流は人工雨雲となって丘・大陸の方向へ上空気流とともに流されて降雨を発生する。
【００４１】  図２０の実施形態は、現存（人工的に造られた湖や池などを含む）と水蒸気（人工雨雲）発生装置Ｓ…および季節風（偏西風）をうまく利用してリレー式に降雨をもたらし、最終的に砂漠地帯（タクラマカン砂漠）への降雨により緑化を促進するようにしたものである。同実施形態では、タクラマカン砂漠を緑化の対象にしているが、サハラ砂漠などの世界各処の砂漠や乾燥地帯、日本における各処の緑化対策（水不足対策を含む）に応用可能なものである。
【００４２】  矢印Ａ−１、Ａ−２、Ａ−３は、ヨーロッパからアジアの方向に流れる偏西風（亜熱帯ジェット気流）であり、これらの偏西風のうち南側のＡ−１は日本の梅雨時に対応して現れるジェット気流で、ヒマラヤ山脈１２７の存在によりその前後を通るように二手に分岐して流れる。その上側のジェット気流Ａ−２は日本において梅雨後に対応するジェット気流であり、タクラマカン砂漠１２８を含むその周辺一帯上空を通過し、さらに、その北側のジェット気流Ａ−３のように黒海からカスピ海１２９→アラル海１３０→バルハシ海１３１の上空を蛇行しながら経由して流れる。このように偏西風は常に一定の緯度を通るものでなく季節により変位してゆくものである。
【００４３】  この実施形態では、黒海に設置した水蒸気発生装置Ｓにより水蒸気を上昇させて偏西風Ａ−３の流れを利用してカスピ海１２９上に雨雲を送り込むことにより図示のように人工降雨をもたらし、さらに、カスピ海１２９に設置した水蒸気発生装置Ｓにより同様に水蒸気を上昇させて偏西風Ａ−３に乗せて次のアラル海１３０上で人工降雨をもたらすようにした。同様にバルハシ海１３１にも人口降雨をもたらし、こうしてリレー式に次々と東方の湖に水を移送するようにした。
【００４４】  バルハシ湖１３１からカプチャガイ湖１３２、さらにクル湖１３３へは、同様に水蒸気発生装置Ｓによる水蒸気上昇により冬季シベリア高気圧Ｂに乗せて移送するようにする。クル湖１３３からの上昇水蒸気はシベリア高気圧により天山山脈１３４の方向に運ばれるが、その手前で雨雲が停留するおそれがあるため、天山山脈１３４の山頂やや手前に水蒸気発生装置Ｓを設置してその停留するおそれのある雨雲を吹上げて山越えさせることによりタクラマカン砂漠１２８の上空に人工雨雲を持ち込み、そこで人工降雨をもたらすようにした。
尚、カスピ海１２９→クル湖１３３まで人工運河１３５を連設して水を送るようにしてもよい。この場合、黒海からカスピ海１２９まで人工運河で接続してもよい。
前記偏西風による人工雨雲の発生方法と運河による水移送方法とはいずれか一方により実施する場合と、双方の方法で実施する場合とがある。
また、人工運河１３５により接続する場合、同運河１３５内に水蒸気発生装置Ｓを設置して次々に水蒸気を発生させ偏西風Ａ−３に乗せる方法もある。
【００４５】  タクラマカン砂漠１２８に人工降雨をもたらす他の方法は同図に併せて示されている。その１つは、ヒマラヤ山脈１２７の山頂手前に人工ため池１３７を設けておき、そこに水蒸気発生装置Ｓを設置してモンスーンによる雨雲１３８を吸い込んで加熱しながらラセン流として水蒸気を上昇させて山越えさせてタクラマカン砂漠１２８に人工降雨をもたらすようにしたものである（同図右下欄）。
人工ため池１３７の水蒸気発生装置Ｓを駆動しただけでは水蒸気が完全に山越えせず氷河や降雪などが存在する山頂に人工降雨（あるいは降雪）がある場合には、山頂に設置した水蒸気発生装置Ｓにより氷河や降雪などを溶かして加熱処理してラセン上昇させることによりタクラマカン砂漠１２８に人工雨雲をもたらして降雨をさせるようにした（同図右下欄）。
さらに、別の方法として、山脈の幅の狭いところを選んでそこに水蒸気誘導トンネル１４０を貫通させてその入り口からモンスーンによる雨雲を吸引したりその山手前のため池１３７からの水蒸気を吸引するようにし、さらに、出口に設けた水蒸気発生装置Ｓの角度調節により上昇雨雲としたりあるいはタクラマカン砂漠１２８に達する人工雨雲とするようにした。
【００４６】  他にも、偏西風Ａ−１やＡ−２に乗せて矢印Ｘ，Ｙのように非常に低い抜け経路を通じて山越えさせてタクラマカン砂漠１２８に人工雨雲を発生させたり、同じ矢印経路で吸水パイプを敷設して水を山越えさせるようにしてもよい。
【００４７】  図２１の実施形態は、メッシュや垂れ線材などの霧粒捕捉材１３８…により山裾側からの霧粒Ａを集めるように構成したものにおいて、同捕捉材１３８の底部に霧滴を回収するパイプ１３９を設け、同パイプ１３９内のヒーター１４０により更なる蒸発Ｂを促進してパイプ開口１４１を通じてリレー式に上昇気流Ｃを作るようにしたものである。１４２は霧滴は通すが水蒸気は通さないシールである。この方式を山の傾斜方向に複数段併設すれば山頂まで自然力を利用して水蒸気を運ぶことができ、山越えの人工雨雲の発生も可能となる。
尚、霧粒捕捉材１３８は、振動させれば捕捉効果が高くなり、超音波振動させてもよい。前記ヒーター１４０に代えて超音波振動素子ユニットを内蔵してもよい。
【００４８】  図２２の実施形態は、霧粒捕捉材１４５の下部のパイプ１４６を一方に向けて傾斜させるとともにその端部に集水部１４７を設けて同部１４７から水蒸気を発生させるようにしたもので、左右の霧粒捕捉材１４５を寄せ合わせて両集水部１４７から水蒸気を発生させるようにしてもよい。
【００４９】  図２３の実施形態は、川１４９や湖などの発生源から朝方の冷却により発生し漂う霧１５０を複数段の強制送り装置１５１により一定方向に送って平地の草木１５２…の緑化を直接促進したり山の草木の緑化促進を図ったりするようにしたものである。強制送り装置１５１は角度調節可能で下向きにすれば平地の草木１５２を対象に、また水平に向ければ山１５３の斜面を対象に霧１５０を当てることができる。山の斜面にも強制送り装置１５１…を配備してさらに上方へリレー式に送ることもできるし、また、霧粒捕捉材１５４…を張設してもよい。強制送り装置１５１を大きく斜め上向きにすれば山斜面に添ってより上方へ霧を送り山越えさせることもできる。
【００５０】  図２４の実施形態は、砂漠は日中において地表で高温であるのに対し数ｍ下がった地下ではかなりの低温でその温度差が３０度前後であることを利用した砂漠温度差発電システムに関する。
【００５１】  １５６はサイクル配管で液体アンモニアが作動流体として封入されている。同配管１５６には、ポンプ１５７・蒸発器１５８・タービン１５９・凝縮器１６０が順に接続されており、蒸発器１５８には砂漠の地上温度を捕捉して高温水とする変換部１６１が設けられてその高温水が通されて液体アンモニアを気化するようになっている。凝縮器１６０には地下の低温分を捕捉して低温水に変換する変換部１６２が設けられて気化したアンモニアを再び液化するようにしている。
【００５２】  そして、前記気化したアンモニアはタービン１５９を回転させて発電機１６３を駆動し送電対象１６４に送るようになっている。
尚、こうした温度差発電システムは、図２５に示す高い山１６５と低い山１６６間のように温度差のある条件下においても利用される。
【００５３】  前記実施形態ではタクラマカン砂漠を対象にして降雨をもたらすようにした場合を説明したが、例えば、日本においても日本海からの湿潤化した雨雲を山越えさせて東日本の方向に誘導する場合その他の世界各処において応用することができる。
【００５４】  図２６はゲリラ豪雨の発生現象の説明図であり、都市部では夏季日射に伴う熱気の上昇Ｘによりヒートアイランド現象が発生し、そこに局地風である温暖・湿潤な海風Ｙが流れ込むと入道雲（積乱雲）２００が発生して上空の冷たく乾燥した空気と交じり合うと不安定な大気状態となる。その不安定さを解消するため、急激に入道雲が発達する結果、ゲリラ豪雨２０１…が発生する。
【００５５】  図２７のように、こうした入道雲がＢのように発達する前の小規模な段階Ａにおいて人工的にゲリラ豪雨の軽減を図る方法を図２７に示す。都市部においては熱気の上昇Ｘが生じ、自然発生的に入道雲Ａが発生している。その段階でゲリラ豪雨の発生を予測し、海風Ｙによる本格的な入道雲Ｂの発生前に、温暖湿潤な海風Ｙを、都市部より海側地域に設置したスパイラル上昇方式の上昇流起生装置２０３…により吸引して凝結核混合装置２０４による凝結核の混合を伴って都市部手前において矢印Ｚのように急上昇させる。この上昇流Ｚは人工的な入道雲２０５を小規模なものとして発生させ、その結果、ゲリラ豪雨までもいかない小規模な降雨を発生させることができる。
【００５６】  そのことから、本来発達途上にあった入道雲ＡはＢのように急速に発達することなく減衰し、その結果、ゲリラ豪雨は規模の小さいものあるいは消失してしますことになり、大洪水のおそれがなくなる。
また一方、人工的な降雨によりビルや車道・歩道などの大地、屋根などが冷やされる結果、ヒートアイランド現象は弱まり、ゲリラ豪雨への発達減衰に寄与する。大気は清浄化されるとともにビルなどの建築物は水洗いされる。
【００５７】  尚、離れた位置にあるビル２０７…の屋上に電波や音波などの発生装置２０８を設けて人工入道雲２０５の中に振動を与えて水分子を結合しやすくすることにより降雨を発生しやすくしてもよい。
また、レーザー発生装置２０９により入道雲２０５内にレーザーを照射して凝結核の作用下でさらなる水分子の結合を促進させるようにしてもよい。
【符号の説明】
【００５８】１    インド洋
２    インド大陸
３    ヒマラヤ山脈
５    タクラマカン砂漠
６    雨雲
８    貯水部
９    水溜部
１０  河川
Ｊ    ジェットエンジン
【図１】
2011024548.tif 000003
【図２】
2011024548.tif 000004
【図３】
2011024548.tif 000005
【図４】
2011024548.tif 000006
【図５】
2011024548.tif 000007
【図６】
2011024548.tif 000008
【図７】
2011024548.tif 000009
【図８】
2011024548.tif 000010
【図９】
2011024548.tif 000011
【図１０】
2011024548.tif 000012
【図１１】
2011024548.tif 000013
【図１２】
2011024548.tif 000014
【図１３】
2011024548.tif 000015
【図１４】
2011024548.tif 000016
【図１５】
2011024548.tif 000017
【図１６】
2011024548.tif 000018
【図１７】
2011024548.tif 000019
【図１８】
2011024548.tif 000020
【図１９】
2011024548.tif 000021
【図２０】
2011024548.tif 000022
【図２１】
2011024548.tif 000023
【図２２】
2011024548.tif 000024
【図２３】
2011024548.tif 000025
【図２４】
2011024548.tif 000026
【図２５】
2011024548.tif 000027
【図２６】
2011024548.tif 000028
【図２７】
2011024548.tif 000029
【図２８】
2011024548.tif 000030
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
山脈手前に滞留する雨雲や多湿気などの対象を強制上昇流発生システムによる強制的な上昇流の起生により同山脈を越えさせることで山脈の向こう側にもたらして降雨を発生可能とする人工降雨等発生方法。
【請求項２】
請求項１に記載のものにおいて、山脈手前に滞留する雨雲や多湿気などの対象を、それより手前の海洋に設置した水蒸気発生手段により人工的に発生させて送り込んで造るようにする人工降雨等発生方法。
【請求項３】
請求項１または２に記載のものにおいて、山脈の向こう側にもたらされた対象を、山脈の向こう側に設置した強制上昇流発生システムによりさらに遠方へ運んで目的とする遠方にて降雨を発生させるようにする人工降雨等発生方法。
【手続補正２】
【補正対象書類名】明細書
【補正対象項目名】全文
【補正方法】変更
【補正の内容】
【発明の詳細な説明】
【技術分野】
【０００１】  本発明は、人工降雨等発生方法に関する。
【背景技術】
【０００２】  図８はインド洋１、インド大陸２、ヒマラヤ山脈３、チベット高原４およびタクラマカン砂漠５を一連状に示す断面概略模式図である。インド大陸２上の空気は、夏季（６月から９月）において暖かくなって上昇気流Ｕを発生し、それを補うためインド洋１からは大陸２へ向けて南西季節風であるモンスーンＭが吹く。このモンスーンＭが海側から吹くと多量の湿った空気が内陸にもたらされ、強く長い雨期が続くこととなる。
その雨期にあっては、モンスーンＭとともに矢印Ｘの方向に雨雲６…が流れることとなるが、その流れる先にあるヒマラヤ山脈３が立ちはだかって冷やされるため、その手前で全て降雨となってインド大陸２上で大洪水をもたらす問題がある。
その一方で、ヒマラヤ山脈３の存在は、それを越えた地帯に湿気のない極乾燥気流Ｙを流すこととなって特にチベット高原４以北のタクラマカン砂漠５は超乾燥地帯となって緑化どころか温暖化防止推進上のネックになっていた。
そうした軽減策を講じたものもある（例えば、特許文献１）。
【先行技術文献】
【特許文献】
【０００３】
【特許文献１】  特開２００６−２３９３９９
【発明の概要】
【発明が解決しようとする課題】
【０００４】  上記特許文献１は、山脈に降った水をその流れる途中に設けた人工池に溜めてその溜まった水をもとに多湿上昇気流を発生させヒマラヤ山脈３を越えさせてタクラマカン砂漠５まで誘導されるようにしたものである。
しかし、こうした人工池による自然上昇気流発生方法によってもやはり多湿上昇気流をヒマラヤ山脈３を越えさせ得るものではなく、ここに多湿気流をより有効に山越えさせる方法の提供が望まれていた。【０００５】  本発明は、このような従来の方法が有していた問題を解決しようとするものであり、雨雲などの多湿気を強制上昇流発生システムにより自然流でなく強制的な上昇流として起生して立ちはだかる高い山脈を越えさせることで山脈の向こう側の乾燥地帯までも雨雲をもたらして降雨を発生させ、これにより、緑化を促進して温暖化防止をも可能とする人工降雨等発生方法を提供することを目的とする。
【課題を解決するための手段】
【０００６】  本発明は上記目的を達成するため、請求項１に記載の発明は、山脈手前に滞留する雨雲や多湿気などの対象を強制上昇流発生システムによる強制的な上昇流の起生により同山脈を越えさせることで山脈の向こう側にもたらして降雨を発生可能とする。
請求項２に記載の発明は、請求項１に記載のものにおいて、山脈手前に滞留する雨雲や多湿気などの対象を、それより手前の海洋に設置した水蒸気発生手段により人工的に発生させて送り込んで造るようにする。
請求項３に記載の発明は、請求項１または２に記載のものにおいて、山脈の向こう側にもたらされた対象を、山脈の向こう側に設置した強制上昇流発生システムによりさらに遠方へ運んで目的とする遠方にて降雨を発生させるようにする。
【発明の効果】
【０００７】  上述したように本発明の人工降雨等発生方法は、雨雲などの多湿気を強制上昇流発生システムにより自然流でなく強制的な上昇流として起生して立ちはだかる高い山脈を越えさせることで山脈の向こう側の乾燥地帯までも雨雲をもたらして降雨を発生させ、これにより、砂漠緑化が促進されて温暖化防止をも可能になる。
【図面の簡単な説明】
【０００８】
【図１】  本発明の人工降雨等発生方法の一実施形態を示す立体図。
【図２】  図１のＨ−Ｈ線模式断面図。
【図３】  図２のＡ部拡大図。
【図４】  他の実施形態を示す模式断面図。
【図５】  他の実施形態を示す模式断面図。
【図６】  他の実施形態を示す模式断面図。
【図７】  図６の風力発電駆動設備の拡大側面図。
【図８】  これまでの雨期の状況を示す模式断面図。
【図９】  他の実施形態を示す説明図。
【図１０】  図９の水蒸気発生装置Ｍを拡大して示す断面図。
【図１１】  図１０のＶ−Ｖ線断面図。
【図１２】  ラセン型ヒーターを示す平面図。
【図１３】  他の実施形態を示す側面図。
【図１４】  他の実施形態を示す側面図。
【図１５】  他の実施形態を示す縦断側面図。
【図１６】  他の実施形態を示す縦断側面図。
【図１７】  他の実施形態を示す縦断側面図。
【図１８】  他の実施形態を示す斜視図。
【図１９】  他の実施形態を示す正面図。
【図２０】  他の実施形態を示す斜視図。
【図２１】  他の実施形態を示す斜視図。
【図２２】  他の実施形態を示す正面図。
【図２３】  他の実施形態を示す側面図。
【図２４】  他の実施形態を示す説明図。
【図２５】  他の実施形態を示す斜視図。
【発明を実施するための形態】
【０００９】  以下、本発明の実施の一形態を図１〜図３に基づいて説明する。
【００１０】  図２はインド洋１、インド大陸２、ヒマラヤ山脈３、チベット高原４およびタクラマカン砂漠５を一連状に示す断面概略模式図であり、図１はヒマラヤ山脈３を模式的にまたその手前のインド大陸２の一部を模式的にあらわし更に向こう側にチベット高原およびタクラマカン砂漠を含む砂漠地帯５を模式的にあらわしている。
【００１１】  インド大陸２上の空気は、夏季（６月から９月）において暖かくなって上昇気流Ｕを発生し、それを補うためインド洋１からは大陸２へ向けて南西季節風であるモンスーンＭが吹く。このモンスーンＭが海側から吹くと多量の湿った空気が内陸にもたらされ、強く長い雨期が続くこととなる。
その雨期にあっては、モンスーンＭとともに矢印Ｘの方向に雨雲６…が自然に流れることとなるが、その流れる先にあるヒマラヤ山脈３には、流れてくる雨雲６…を対象にしてそれらを強制的に山脈３に沿って吹き上げる強制上昇流発生システムＳを雨雲６…到達高さあるいは到達高さより低い高さに対応して設置してある。
【００１２】  同システムＳと同じ高さには、多くの水量が蓄えられるように等高線の方向に長溝状とした貯水部８が形成され、同貯水部８は、山脈３の高い個所ではなくできるだけ低い峰や山に対応する下方に配置してある。
【００１３】  そして、貯水部８は、雨雲６…による降雨を直接溜めてそれらの貯水分を強制上昇流発生システムＳにより強制的に山頂方向に吹き上げるために使用される。
【００１４】  強制上昇流発生システムＳは、図１の右下欄および図２のＡ部拡大である図３に示すように、ジェットエンジンＪを主要部とする。このジェットエンジンＪは、ターボジェット型のもので、ターボファン型その他ガスタービンなどでもよい。同エンジンＪは、吸気・圧縮・燃焼・排気各部を備えるもので、貯水部８上の適所に横架固定の基盤１３上に載置固定した架台１４に角度調節可能に装備してある。１５は支点、１６は伝導装置、１７は回転駆動装置、１８はケロシン・ワイドカットなどのジェット燃料タンクである。
【００１５】  ジェット燃料タンク１８への燃料は、麓からの供給パイプ（図示省略）を通じて供給される。回転駆動装置１７がいずれかに回転されると伝導装置１６を介して支点１５回りにジェットエンジンＪが角度調節自在とされる。これにより、山の斜面に対する角度を平行にしたり少し角度を付けたりするなど自由に向きを変えることができる。
【００１６】  また、架台１４は基盤１３に対して貯水部８の手前と奥側に進退調節自在とされ、これにより、雨雲６…が接近してきた場合に貯水部８の手前に進出して雨雲６…を吸い込み排気しやすい姿勢にする態様と、雨雲６…が到来しないか少ない場合に貯水部８上で山脈側に後退して同貯水部８内の水を図示しない温熱化手段により温熱水蒸気化して吸い込み排気する態様を選択可能になっている。図１の２０は水蒸気供給装置であり、凝結核も同時に供給可能にしてもよい。
山脈３手前に滞留する雨雲６…や多湿気などの対象を強制上昇流発生システムＳによる強制的な上昇流の起生により同山脈３を越えさせて矢印Ｚ…のように山脈３の向こう側にもたらして砂漠５へと誘導し降雨を発生可能とする。
【００１７】  尚、図３に仮想線で示すように、ジェットエンジンＪに平行に水蒸気吸排ダクト２１を装備して、ジェットエンジンＪからの排気に同調して負圧吸引しながら水蒸気を吹き上げるようにすることもできる。
このダクト２１は、雨雲６…の水蒸気を取り込むようにしてもよい。水蒸気吸排ダクト２１は、図３の右欄に示すように、ジェットエンジンＪの外周に水蒸気の通気空間を存して同心状に設けたタイプにしてもよい。
【００１８】  さらに、ジェットエンジンＪは、山の麓や中腹など図１よりも低いところに設置して雨雲６を吹き上げるようにしてもよい。この場合、ジェットエンジンＪからは排気ガス誘導配管により排気ガスを図１の貯水部８付近まで誘導するようにしてもよい。
【００１９】  また、ジェットエンジンＪは、図２に示すように、山越えした雨雲６´を降雨に適した状態にするため、チベット高原４やタクラマカン砂漠５手前（例えば、崑崙山脈やアルチン山脈など第２段目の山脈）に設置することもできる。この場合、山脈から流れ落ちる山水Ｄの溜まる水溜め部９…から発生した水蒸気をジェットエンジンＪにより上方へ吹き上げて雨雲６´を降雨に適したものにすることができる。
【００２０】  さらに、図４に示すように、貯水部８内の水は、雨雲６…よる他、インド大陸２上に形成された水溜部９…や河川１０…などからポンプ１１や配管１２を通じて汲み上げるようにしてもよい。
【００２１】  また、図５に示すように、インド洋１上には、水蒸気発生船２４を設置しておき、雨雲６…が人工的でより効果的に多量発生するようにしてもよい。
【００２２】  さらに、図６に示すように、ジェットエンジンＪに代えて山越え手前の個所に風力発電駆動設備２３を複数基設置しておいて、風のあるときは充電しておいて風のないときや少ないときにはその既充電分で同設備２３を回転駆動させて雨雲６や朝霧などを吹き上げて山越えさせるように構成することもできる。
【００２３】  図７はその具体的方法を示し、３０は基台で、山の上部山腹を掘削除去してなる路盤上に固定設置され、３１は架台で支点３３を介して角度調節可能なアーム３２を備えるとともに、アーム３２は伝導装置３４と回転駆動装置３５により角度変更自在としてある。
【００２４】  さらに、アーム３２の先端には発電機本体３６とプレーン３７を備える。架台３１には、制御部とバッテリその他必要な装備を内蔵してある。
プレーン３７は、架台３１を基台３０に対し進退自在とされているので、好ましい位置に設備を構えることができるとともに回転駆動装置３５および伝導装置３４の駆動によりアーム３２の角度を変更調節可能であるので、雨雲６…を効率的に流して充電が可能であるとともに吹き上げも効率なものにすることができる。これらにソーラー発電装置３８を組み合わせることができる。
【００２５】  図９はヒマラヤ山脈Ｈの山頂から少し下がった山斜面を含む部分を図示した他の実施形態を示す。この実施形態は、強制上昇流発生システムを図１０および図１１に示すようなスクリュウ型水蒸気流（雨雲）発生装置Ｍにより構成し、ヒマラヤ山脈Ｈのインド洋に面する頂上やや手前の中継発生個所と頂上発生個所の２個所に設置してインド洋側にある水を水蒸気から雨雲に変化させて山越えさせ、最終的にタクラマカン砂漠にまで達するようにして緑化を促すようにしたものである。前記２個所とあるのは、３個所などより多くの個所でもよい。
【００２６】  中継発生個所には、自然に残された凹所やこの実施形態のように人工的に掘削形成された凹池４０（図１のように等高線に平行に長い溝状のもの）を設け、この凹池４０に矢印Ａのように雨雲からの降雨分を溜めたり、矢印Ｂのように頂上からの雪解け水を溜めたり、矢印Ｃのように伏流水を溜めたり、あるいは矢印Ｄのようにインド大陸や山裾などの水を汲み上げ（毛細管現象によるものも含む）て溜めるものとする。４１は防護壁である。
尚、前記凹池４０は山の斜面を掘削などして造成しているが、図９の左上欄に示すように山はそのままの形とし架台４２を張り出してその架台４２を介して人工池４３を形成してもよい。掘削による凹池４０と架台による人工池４３とを併用してもよい。
【００２７】  前記水蒸気流発生装置Ｍは、そうした溜め水４４をもとにして電気ヒーターで発生させた水蒸気に適宜凝結核を混合してスクリュウ流として先端から発生させるものである。
同装置Ｍは、図１０および図１１に示すように、凹池４０の底に造成された基礎４５上に球体軸受４６を据付けるとともに外周複数個所にシリンダ４７…を配して角度調節可能な状態で下部本体４８を姿勢変更自在に設置されている。
尚、基礎４５には、池底ヒーター４９が設けられ、その電源５０は、風力発電装置５１やソーラー発電装置５２あるいは原子力（図示省略）などから導かれるものとして供給されて常時加温により解凍を含む一定温度まで温度上昇をさせるものとする。図１０の右上欄のようにレンズ集光加温装置５３により溜め水４４を水蒸気を発生可能なレベルまで加温するようにしてもよい。
【００２８】  下部本体４８は受皿型をした円池状のもので、同本体４８は断熱質でなるとともにその底壁から全体にかけて保温ヒーター５５が設けられ、さらに主加温（加熱）ヒーター５６がその中央底面に取り付けられている。同本体４８には上に断熱質の蓋５７が設けられるとともに、外周には外部から内部へと周方向の流れを作るような導入パイプ５８が挿通されている。このパイプ５８にはポンプ５９を介して凹池４０内の加温されたものが通されるとともに、パイプヒーター６０によりさらに加温されて矢印Ｅのように内部に流れ込み図１１の矢印Ｆの周回流を起生するようにしてある。
【００２９】  ６１は内部本体で、同本体６０は、丸胴型でその底面には前記主加温ヒーター５６が臨むとともに外周には図１１に横断平面図を示すように内部旋回流Ｇを起生する旋回流起生パイプ６２…が設けられている。
内部本体６０の上には旋回上昇流案内筒６３が載置固定されている。同筒６３内には、その下部に吹上げ装置６４が設けられ、上部内周には旋回促進バッフル６５が内部バッフルとして設けられている。
尚、６６は吸気加温装置、６７はコンプレッサーで、外気を温めながら内部本体６０内に暖かい空気を旋回状（矢印Ｇと同じ方向）に導入して旋回上昇流を起生するようにしてある。６８は外部バッフルで、旋回上昇流Ｈを頂上の方向Ｈ´に向けるための付加設備である。
【００３０】  水蒸気発生装置Ｍは、シリンダ（電動式を含む）４７を駆動することにより球体軸受４６を支点にして角度変更可能とされ、図９では頂上に先端が向くように傾斜して設定されている。同装置Ｍは正面からみて垂直にする以外に斜め上がりになるように右あるいは左傾斜状に角度変更することもある。
【００３１】  凹池４０内に溜められた水４４は、池底ヒーター４９により第１段階として常時加温処理がなされる。水４４が凍結している場合も、池底ヒーター４９により解凍され第１段階として所定温度以上にまで加温される。尚、この池底ヒーター４９による加温は、水４４が凍結する場合にのみ行うようにしてもよい。
水４４はポンプ５９により汲み上げられ、加温されながら導入パイプ５８を通じて下部本体４８内に流れＥとして導入されて周回流Ｆとなったあと、旋回流起生パイプ６２…を通じて旋回流Ｇを起生する。そして、この旋回流Ｇは、主加温ヒーター５６による加熱を受けながら水蒸気を発生し、その水蒸気が旋回流Ｈを巻き起こしながら吹上げ装置６４による吸引・吹上げおよび旋回促進バッフル６５による更なる旋回加速を得つつ矢印Ｈのように強い旋回流として上昇してゆくことになる。
【００３２】  その様子は、図９にも概要を示すように、矢印Ｈの上昇流（高温多湿気）は凝結核を伴ってまとまった強い旋回流として発生するが高所ということもあって低気圧が作用して適度に分散しながらしかも低温冷却作用により頂上を越えてそれまでにない全く新たな人工雨雲Ｉを形成してゆくとともに、矢印Ｈの連続した流れや吹上げる風などが手伝って矢印Ｘのように山越えをしてチベット高原や遠くタクラマカン砂漠にまで流れる雨雲となってゆく。
中には、矢印Ｙのように条件によって下がり傾向となる人工雨雲も形成されることがある。その人工雨雲Ｙは山頂に雨あるいは雪を降らせ、場合によってはその山頂において凍結堆積してしまうものもある。凹所７０に雨水７１として溜まったものは、前記同様の図１０の装置Ｍによって旋回流を発生し矢印Ｙ−１のように遠くに流される雨雲になったり、あるいはやや重いものは矢印Ｙ−２のように下がる方向に流されてゆく。さらに、雨雲は矢印Ｚのように山斜面に添って川や伏流水として流れ落ち、それらが溜まって雨雲の発生源となる。その溜まった池に前記装置Ｍを設置しておけば遠くまで達する人工雨雲を形成することができ、こうしたリレーを繰り返すことでタクラマカン砂漠へも容易に達する人工雨雲とすることができる。一方、山頂で凍ったものは前記のように装置Ｍで解凍されて同じように旋回流から流れＹ−１，Ｙ−２になってゆく。
【００３３】  図１２の実施形態は、例えば、主加温ヒーター５６をラセン状にしたものであり、この場合、ラセンにしたヒーター５６を複数個配備してもよく、この複数個とは平面的に複数並べる場合と上下に重ねる場合とがある。
【００３４】  水蒸気発生装置Ｍは、図１３に示すように、溜池７４の底から立設した架台７５に角度変更可能に支持させることもできる。この場合、架台７５の底と装置Ｍの下部内にヒーター７６，７７を設けて加熱しながら旋回流を発生するようにする。また、装置Ｍが角度変更されても溜め水７８が装置Ｍ内に常に供給されるように深く装置Ｍを没するものとする。
【００３５】  図１４の水蒸気発生装置Ｍは、溜め池８０の溜め水８１上にフロート８２を浮べて台座としてその上に角度変更自在に設置したもので、特に、装置Ｍを蛇腹８３により角度変更自在に連通状態を保つようにしたものである。装置Ｍ内の旋回流発生装置などは図示省略されている。尚、装置Ｍは、角度変更によりバランスが変わらないように重心を支点に支持する。
【００３６】  図１５の実施形態は、山の前記中継個所の高さにトンネル８６を掘って内周に断熱材８７を施して矢印のように溜まってくる水８８が凍ることのないようにするとともに、この水８８をポンプ８９やヒーター９０を介して水蒸気発生装置Ｍにより上昇気とするように構成した。尚、山の裾からの水は左下欄に示すように内部に吸水材９１を充填した吸上げパイプ９２により毛細管現象でトンネル８６内に送り込むようにしてもよい。この方式は他の実施形態でも利用する。また、トンネル８６の手前には捕捉ネット９３を設置してそこから垂れ下がってくる水を集めてポンプアップすることでトンネル８６内の水８８とすることもできる。この方式は他の実施形態でも利用する。
【００３７】  図１６の実施形態は、山の中継個所の高さに掘ったトンネル９５内に密閉型で断熱式の水溜めコンテナ９６を内装設置し、このコンテナ９６を外ケース９７と内断熱ケース９８とで二重構造のものとするとともに、同コンテナ９６内に山の斜面上下から送られてくる降雨流水や雪解け水、さらに内部伏流水などを溜め水９８として確保し、さらに内底のヒーター９９により常に凍結しない状態に維持できるようにしたもので、こうして確保された溜め水１００を利用して水蒸気発生装置Ｍに供給して人工雨雲を作るようにしたものである。同図右欄に示すように、雨樋型のコンテナ１０１にしてもよい。コンテナ１０１には蓋を付してもよい。１０２はヒーターである。
【００３８】  図１７の実施形態は、水溜めコンテナ１０５を中継個所以外に山頂の凹所１００６内にも設置可能とした例である。同コンテナ１０５は、外ケース１０７と内断熱ケース１０８とでなるとともに内底には内部の溜め水１０９を凍結しないように確保するヒーター１１０が内蔵されている。前記中継個所の水蒸気発生装置Ｍによる人工雨雲からの降雨を凹所１０６内に溜めてポンプ１１１によりコンテナ１０５内に導入するとともに装置Ｍに適宜供給して更なる人工雨雲を発生させる仕組みになっている。尚、右欄のように雨樋式のコンテナ１１２にしてもよい。また、装置Ｍは、角度を下向きにして凹所１０６内に溜まる降雪分を内蔵ヒーターによる高温気の噴出により融かすようにしてもよい。装置Ｍは、コンテナ１０５上に設置してコンテナ１０５内で常時水として確保したものを雨雲発生用として直接上空へと噴出したり前記溶解のために周辺に噴出してもよい。
【００３９】  図１８の実施形態は、ヒマラヤ山脈のような高い峰が続く山脈に対しその正面側の雲高さ以上の山腹に沿って溝状の水溜め１１５を造ってそこに水蒸気発生装置Ｍを数基配備したものにおいて、特に、同水蒸気発生装置Ｍをそのまま山頂の方向に向けるのでなく斜め山回りの方向に向けて水蒸気（高温多湿気）を放出することにより山脈間の低い峰１１６を矢印Ｊのように人工雨雲１１７…が越えてゆくようにしたものである。人工雨雲１１７を容易に山越えさせることができる。尚、矢印Ｋのように低い峰の直ぐ下方山腹に溜め水１１５や装置Ｍを設置してもよい。また、矢印ＪとＫの双方を発生して互いに合流するようにしても効果的に人工雨雲を発生させることができる。
【００４０】  図１９の実施形態は、熱帯海上で発生する高温多湿気をより効果的に人工雨雲として発生させるためのものである。１２０は海面に浮かぶ航空母艦である船舶で、この船舶１２０は連結盤１２１により互いに一定距離離れた状態で平行に接近させてある。これら船舶１２０間には熱帯海上特有の高温多湿気Ａが溜まって次々に発生しており、これらの高温多湿気Ａを連結盤１２１に備えた多数基の強制上昇装置（縦軸型強力ファン）１２２…により吸上げて矢印Ｂのように人工雨雲を作るための上昇気流として起生するようにしたものである。
また、船舶１２０が航空母艦である場合には、ジェット機１２３…が搭載されていることからそのジェットエンジン１２４の後方にバッフル１２５を付しておくことによりエンジン噴射して矢印Ｃのように上昇誘導流を作って高温多湿気Ａを上昇促進させるものである。この上昇誘導流は、ラセン状の軌道をもって上昇するようにジェット機１２３を配置したりバッフル１２５の向きを変位自在とすることができる。上昇気流は人工雨雲となって丘・大陸の方向へ上空気流とともに流されて降雨を発生する。
【００４１】  図２０の実施形態は、現存（人工的に造られた湖や池などを含む）と水蒸気（人工雨雲）発生装置Ｓ…および季節風（偏西風）をうまく利用してリレー式に降雨をもたらし、最終的に砂漠地帯（タクラマカン砂漠）への降雨により緑化を促進するようにしたものである。同実施形態では、タクラマカン砂漠を緑化の対象にしているが、サハラ砂漠などの世界各処の砂漠や乾燥地帯、日本における各処の緑化対策（水不足対策を含む）に応用可能なものである。
【００４２】  矢印Ａ−１、Ａ−２、Ａ−３は、ヨーロッパからアジアの方向に流れる偏西風（亜熱帯ジェット気流）であり、これらの偏西風のうち南側のＡ−１は日本の梅雨時に対応して現れるジェット気流で、ヒマラヤ山脈１２７の存在によりその前後を通るように二手に分岐して流れる。その上側のジェット気流Ａ−２は日本において梅雨後に対応するジェット気流であり、タクラマカン砂漠１２８を含むその周辺一帯上空を通過し、さらに、その北側のジェット気流Ａ−３のように黒海からカスピ海１２９→アラル海１３０→バルハシ海１３１の上空を蛇行しながら経由して流れる。このように偏西風は常に一定の緯度を通るものでなく季節により変位してゆくものである。
【００４３】  この実施形態では、黒海に設置した水蒸気発生装置Ｓにより水蒸気を上昇させて偏西風Ａ−３の流れを利用してカスピ海１２９上に雨雲を送り込むことにより図示のように人工降雨をもたらし、さらに、カスピ海１２９に設置した水蒸気発生装置Ｓにより同様に水蒸気を上昇させて偏西風Ａ−３に乗せて次のアラル海１３０上で人工降雨をもたらすようにした。同様にバルハシ海１３１にも人口降雨をもたらし、こうしてリレー式に次々と東方の湖に水を移送するようにした。
【００４４】  バルハシ湖１３１からカプチャガイ湖１３２、さらにクル湖１３３へは、同様に水蒸気発生装置Ｓによる水蒸気上昇により冬季シベリア高気圧Ｂに乗せて移送するようにする。クル湖１３３からの上昇水蒸気はシベリア高気圧により天山山脈１３４の方向に運ばれるが、その手前で雨雲が停留するおそれがあるため、天山山脈１３４の山頂やや手前に水蒸気発生装置Ｓを設置してその停留するおそれのある雨雲を吹上げて山越えさせることによりタクラマカン砂漠１２８の上空に人工雨雲を持ち込み、そこで人工降雨をもたらすようにした。
尚、カスピ海１２９→クル湖１３３まで人工運河１３５を連設して水を送るようにしてもよい。この場合、黒海からカスピ海１２９まで人工運河で接続してもよい。
前記偏西風による人工雨雲の発生方法と運河による水移送方法とはいずれか一方により実施する場合と、双方の方法で実施する場合とがある。
また、人工運河１３５により接続する場合、同運河１３５内に水蒸気発生装置Ｓを設置して次々に水蒸気を発生させ偏西風Ａ−３に乗せる方法もある。
【００４５】  タクラマカン砂漠１２８に人工降雨をもたらす他の方法は同図に併せて示されている。その１つは、ヒマラヤ山脈１２７の山頂手前に人工ため池１３７を設けておき、そこに水蒸気発生装置Ｓを設置してモンスーンによる雨雲１３８を吸い込んで加熱しながらラセン流として水蒸気を上昇させて山越えさせてタクラマカン砂漠１２８に人工降雨をもたらすようにしたものである（同図右下欄）。
人工ため池１３７の水蒸気発生装置Ｓを駆動しただけでは水蒸気が完全に山越えせず氷河や降雪などが存在する山頂に人工降雨（あるいは降雪）がある場合には、山頂に設置した水蒸気発生装置Ｓにより氷河や降雪などを溶かして加熱処理してラセン上昇させることによりタクラマカン砂漠１２８に人工雨雲をもたらして降雨をさせるようにした（同図右下欄）。
さらに、別の方法として、山脈の幅の狭いところを選んでそこに水蒸気誘導トンネル１４０を貫通させてその入り口からモンスーンによる雨雲を吸引したりその山手前のため池１３７からの水蒸気を吸引するようにし、さらに、出口に設けた水蒸気発生装置Ｓの角度調節により上昇雨雲としたりあるいはタクラマカン砂漠１２８に達する人工雨雲とするようにした。
【００４６】  他にも、偏西風Ａ−１やＡ−２に乗せて矢印Ｘ，Ｙのように非常に低い抜け経路を通じて山越えさせてタクラマカン砂漠１２８に人工雨雲を発生させたり、同じ矢印経路で吸水パイプを敷設して水を山越えさせるようにしてもよい。
【００４７】  図２１の実施形態は、メッシュや垂れ線材などの霧粒捕捉材１３８…により山裾側からの霧粒Ａを集めるように構成したものにおいて、同捕捉材１３８の底部に霧滴を回収するパイプ１３９を設け、同パイプ１３９内のヒーター１４０により更なる蒸発Ｂを促進してパイプ開口１４１を通じてリレー式に上昇気流Ｃを作るようにしたものである。１４２は霧滴は通すが水蒸気は通さないシールである。この方式を山の傾斜方向に複数段併設すれば山頂まで自然力を利用して水蒸気を運ぶことができ、山越えの人工雨雲の発生も可能となる。
尚、霧粒捕捉材１３８は、振動させれば捕捉効果が高くなり、超音波振動させてもよい。前記ヒーター１４０に代えて超音波振動素子ユニットを内蔵してもよい。
【００４８】  図２２の実施形態は、霧粒捕捉材１４５の下部のパイプ１４６を一方に向けて傾斜させるとともにその端部に集水部１４７を設けて同部１４７から水蒸気を発生させるようにしたもので、左右の霧粒捕捉材１４５を寄せ合わせて両集水部１４７から水蒸気を発生させるようにしてもよい。
【００４９】  図２３の実施形態は、川１４９や湖などの発生源から朝方の冷却により発生し漂う霧１５０を複数段の強制送り装置１５１により一定方向に送って平地の草木１５２…の緑化を直接促進したり山の草木の緑化促進を図ったりするようにしたものである。強制送り装置１５１は角度調節可能で下向きにすれば平地の草木１５２を対象に、また水平に向ければ山１５３の斜面を対象に霧１５０を当てることができる。山の斜面にも強制送り装置１５１…を配備してさらに上方へリレー式に送ることもできるし、また、霧粒捕捉材１５４…を張設してもよい。強制送り装置１５１を大きく斜め上向きにすれば山斜面に添ってより上方へ霧を送り山越えさせることもできる。
【００５０】  図２４の実施形態は、砂漠は日中において地表で高温であるのに対し数ｍ下がった地下ではかなりの低温でその温度差が３０度前後であることを利用した砂漠温度差発電システムに関する。
【００５１】  １５６はサイクル配管で液体アンモニアが作動流体として封入されている。同配管１５６には、ポンプ１５７・蒸発器１５８・タービン１５９・凝縮器１６０が順に接続されており、蒸発器１５８には砂漠の地上温度を捕捉して高温水とする変換部１６１が設けられてその高温水が通されて液体アンモニアを気化するようになっている。凝縮器１６０には地下の低温分を捕捉して低温水に変換する変換部１６２が設けられて気化したアンモニアを再び液化するようにしている。
【００５２】  そして、前記気化したアンモニアはタービン１５９を回転させて発電機１６３を駆動し送電対象１６４に送るようになっている。
尚、こうした温度差発電システムは、図２５に示す高い山１６５と低い山１６６間のように温度差のある条件下においても利用される。
【００５３】  前記実施形態ではタクラマカン砂漠を対象にして降雨をもたらすようにした場合を説明したが、例えば、日本においても日本海からの湿潤化した雨雲を山越えさせて東日本の方向に誘導する場合その他の世界各処において応用することができる。
【符号の説明】
【００５４】１    インド洋
２    インド大陸
３    ヒマラヤ山脈
５    タクラマカン砂漠
６    雨雲
８    貯水部
９    水溜部
１０  河川
Ｊ    ジェットエンジン
【手続補正３】
【補正対象書類名】図面
【補正対象項目名】図２６
【補正方法】削除
【補正の内容】
【手続補正４】
【補正対象書類名】図面
【補正対象項目名】図２７
【補正方法】削除
【補正の内容】
【手続補正５】
【補正対象書類名】図面
【補正対象項目名】図２８
【補正方法】削除
【補正の内容】